(57)【要約】      （修正有）【課題】消費電力を削減可能な省エネ加熱式ウェアラブル装置を提供する。【解決手段】省エネ加熱式ウェアラブル装置１００は、制御部１０、電力管理部２０、加熱部３０、表示部４０、入力部５０、温度感知部６０、湿度感知部７０及び防爆型給電部８０を含む。制御部は、温度感知部によって感知された生体体温、環境温度が温度設定値よりも低い場合、加熱部による加熱を継続させ、一方、温度感知部によって感知された生体体温、環境温度が温度設定値よりも高い場合、加熱部による加熱を停止させる。また、制御部は、湿度感知部によって感知された生体湿度、環境湿度が湿度設定値よりも低い場合、加熱部による加熱を停止させ、一方、湿度感知部によって感知された生体湿度、環境湿度が湿度設定値よりも高い場合、加熱部による加熱を継続させる。【選択図】図１
2018183036.tif 000002
【特許請求の範囲】
【請求項１】
ウェアラブル本体に取り付けられる省エネ加熱式ウェアラブル装置であって、
温度及び湿度を感知するためのプログラムを内部に記憶する制御部と、
省エネ加熱式ウェアラブル装置に必要な電力を給電する防爆型給電部と、
前記制御部及び前記防爆型給電部に電気的に接続されて前記防爆型給電部の電力を管理する電力管理部と、
前記制御部及び前記電力管理部に電気的に接続される加熱部と、
前記制御部に電気的に接続されて前記省エネ加熱式ウェアラブル装置の制御状態を表示する表示部と、
前記制御部に電気的に接続され、操作信号を前記制御部に入力する入力部と、
前記制御部に電気的に接続されて生体温度及び環境温度を感知する温度感知部と、
前記制御部に電気的に接続されて生体湿度及び環境湿度を感知する湿度感知部と、を含み、
前記制御部は、
前記温度感知部によって感知された生体体温、環境温度が温度設定値よりも低い場合、前記加熱部による加熱を継続させ、
前記温度感知部によって感知された生体体温、環境温度が温度設定値よりも高い場合、前記加熱部による加熱を停止させ、
前記湿度感知部によって感知された生体湿度、環境湿度が湿度設定値よりも低い場合、前記加熱部による加熱を停止させ、
前記湿度感知部によって感知された生体湿度、環境湿度が湿度設定値よりも高い場合、前記加熱部による加熱を継続させることを特徴とする省エネ加熱式ウェアラブル装置。
【請求項２】
前記制御部は、マイクロコントローラであることを特徴とする請求項１に記載の省エネ加熱式ウェアラブル装置。
【請求項３】
前記防爆型給電部は、着脱可能な防爆型充電電池と、前記防爆型充電電池の一方側に位置する高比熱被覆層とを含み、
前記高比熱被覆層は、前記加熱部の一方側に位置することを特徴とする請求項１に記載の省エネ加熱式ウェアラブル装置。
【請求項４】
前記高比熱被覆層は、セラミック糸またはナイロン糸であることを特徴とする請求項３に記載の省エネ加熱式ウェアラブル装置。
【請求項５】
前記電力管理部は、前記電力管理部を介して外部電源で前記防爆型給電部に充電するための充電回路を含むことを特徴とする請求項１に記載の省エネ加熱式ウェアラブル装置。
【請求項６】
前記加熱部は加熱層であり、
前記加熱層は、鉄、鋼または銅材料からなるワイヤを編み組んで得られたもの、ポリイミドフィルムヒータまたはＰＣＴセラミックヒータであることを特徴とする請求項１に記載の省エネ加熱式ウェアラブル装置。
【請求項７】
前記表示部は、ＬＣＤディスプレイまたはＬＥＤディスプレイであることを特徴とする請求項１に記載の省エネ加熱式ウェアラブル装置。
【請求項８】
前記入力部は、タッチスイッチ、タイマースイッチ及び温度設定スイッチを含むことを特徴とする請求項１に記載の省エネ加熱式ウェアラブル装置。
【請求項９】
前記温度感知部は、生体体温センサ及び環境温度センサを含むことを特徴とする請求項１に記載の省エネ加熱式ウェアラブル装置。
【請求項１０】
前記湿度感知部は、生体湿度センサ及び環境湿度センサを含むことを特徴とする請求項１に記載の省エネ加熱式ウェアラブル装置。
【請求項１１】
前記生体体温の前記温度設定値は３０度であることを特徴とする請求項１に記載の省エネ加熱式ウェアラブル装置。
【請求項１２】
前記環境温度の前記温度設定値は１５度であることを特徴とする請求項１に記載の省エネ加熱式ウェアラブル装置。
【請求項１３】
前記湿度設定値は６０％であることを特徴とする請求項１に記載の省エネ加熱式ウェアラブル装置。
【請求項１４】
前記防爆型給電部の前記防爆型充電電池及び前記高比熱被覆層は、前記加熱部とシート状に重なって前記ウェアラブル本体の裏層に取り付けられ、前記制御部、前記電力管理部、前記表示部、前記入力部、前記温度感知部及び前記湿度感知部をフレキシブルプリントの回路基板にまとめて取り付け、
前記回路基板は、前記ウェアラブル本体の裏層に取り付けられ、前記温度感知部及び前記湿度感知部を露出させて感知を行われることを特徴とする請求項３に記載の省エネ加熱式ウェアラブル装置。
【請求項１５】
前記回路基板には、ＵＳＢコネクタが増設され、
前記ＵＳＢコネクタは、前記回路基板及び前記電力管理部に電気的に接続され、ＵＳＢプラグ及び延長伝送線を有し、
前記延長伝送線の端部には、ＵＳＢプラグが接続され、
前記ＵＳＢコネクタは、外部の充電器プラグに挿入されることを特徴とする請求項１４に記載の省エネ加熱式ウェアラブル装置。
【請求項１６】
前記制御部に電気的に接続される無線通信部をさらに含み、
前記無線通信部は、外部の無線通信装置に接続され、前記無線通信装置により気候予測情報をダウンロードして前記制御部に送信し、前記制御部によって温度制御を判断することを特徴とする請求項１に記載の省エネ加熱式ウェアラブル装置。
【請求項１７】
前記無線通信部は、外部の無線制御ランプ部に接続されてランプ点灯モードに移行し、前記入力部を制御のスイッチとすることを特徴とする請求項１６に記載の省エネ加熱式ウェアラブル装置。
【発明の詳細な説明】
【技術分野】
【０００１】
本発明は、加熱装置に関し、特に、着用者の体温・湿度及び環境温度・湿度を感知可能な省エネ加熱式ウェアラブル装置に関する。
【背景技術】
【０００２】
寒波、雪などの寒冷気候のため、加熱構造が取り付けられたグローブ、靴下、スカーフなどのウェアラブル装置は市販されている。これらのウェアラブル装置は熱源を供給して利用者の耐寒保温を支援する。なお、加熱構造としては、互いに電気的に接続されるリチウムイオン電池及びヒータシートが用いられる。リチウムイオン電池は、ヒータシートに給電してヒータシートを発熱させる。
【発明の概要】
【発明が解決しようとする課題】
【０００３】
しかしながら、リチウムイオン電池は、製造材料によってヒータシートに近接して配置されることができない。このため、リチウムイオン電池は、ヒータシートから一定の安全距離をあけたり隔離したりして配置されることが多い。こうすることで、リチウムイオン電池を保護することができる。ところで、上記配置形態に伴って、取り付けスペースが過大で、組み立て工程が複雑で、熱源が集中しないなどの問題がある。
【０００４】
これに鑑みて、上記の従来技術に対し、特に研究に専念し、学理の運用を合わせて、上記の問題点の解決に尽力するのが、本発明の発明者の改良の目標となっている。
【０００５】
本発明の主な目的は、リチウムセラミック電池自体が高温によって影響されず、重度の化学反応による爆発が発生することなく、高比熱被覆層を放射熱反射層として、スマートな制御によって一定の温度を維持し、消費電力を削減可能な省エネ加熱式ウェアラブル装置を提供することである。
【０００６】
本発明のもう１つの目的は、エネルギーを節約し、電池と同じ容量当たりの使用時間を長くするほか、エネルギー保存の体積を減少させてウェアラブル装置の効果を達することが可能なエネ加熱式ウェアラブル装置を提供することである。
【課題を解決するための手段】
【０００７】
上記目的を達成するために、本発明に係る省エネ加熱式ウェアラブル装置は、制御部、電力管理部、加熱部、表示部、入力部、温度感知部、湿度感知部及び防爆型給電部を含む。前記制御部は、温度及び湿度を感知するためのプログラムを内部に記憶する。前記防爆型給電部は、前記省エネ加熱式ウェアラブル装置に必要な電力を給電する。前記電力管理部は、前記制御部及び前記防爆型給電部に電気的に接続されて前記防爆型給電部の電力を管理する。前記加熱部は、前記制御部及び前記電力管理部に電気的に接続される。前記表示部は、前記制御部に電気的に接続されて前記省エネ加熱式ウェアラブル装置の制御状態を表示する。前記入力部は、前記制御部に電気的に接続され、操作信号を前記制御部に入力する。前記温度感知部は、前記制御部に電気的に接続されて生体温度及び環境温度を感知する。前記湿度感知部は、前記制御部に電気的に接続されて生体湿度及び環境湿度を感知する。前記制御部は、前記温度感知部によって感知された生体体温、環境温度が温度設定値よりも低い場合、前記加熱部による加熱を継続させ、一方、前記温度感知部によって感知された生体体温、環境温度が温度設定値よりも高い場合、前記加熱部による加熱を停止させる。また、前記制御部は、前記湿度感知部によって感知された生体湿度、環境湿度が湿度設定値よりも低い場合、前記加熱部による加熱を停止させ、一方、前記湿度感知部によって感知された生体湿度、環境湿度が湿度設定値よりも高い場合、前記加熱部による加熱を継続させる。
【０００８】
一実施形態では、前記制御部は、マイクロコントローラである。
【０００９】
一実施形態では、前記防爆型給電部は、着脱可能な防爆型充電電池と、前記防爆型充電電池の一方側に位置する高比熱被覆層とを含む。前記高比熱被覆層は、前記加熱部の一方側に位置する。
【００１０】
一実施形態では、前記高比熱被覆層は、セラミック糸またはナイロン糸である。
【００１１】
一実施形態では、前記電力管理部は、前記電力管理部を介して外部電源で前記防爆型給電部に充電するための充電回路を含む。
【００１２】
一実施形態では、前記加熱部は加熱層である。前記加熱層は、鉄、鋼または銅材料からなるワイヤを編み組んで得られたもの、ポリイミドフィルムヒータまたはＰＣＴセラミックヒータである。
【００１３】
一実施形態では、前記表示部は、ＬＣＤディスプレイまたはＬＥＤディスプレイである。
【００１４】
一実施形態では、前記入力部は、タッチスイッチ、タイマースイッチ及び温度設定スイッチを含む。
【００１５】
一実施形態では、前記温度感知部は、生体体温センサ及び環境温度センサを含む。
【００１６】
一実施形態では、前記湿度感知部は、生体湿度センサ及び環境湿度センサを含む。
【００１７】
一実施形態では、前記生体体温の前記温度設定値は３０度である。
【００１８】
一実施形態では、前記環境温度の前記温度設定値は１５度である。
【００１９】
一実施形態では、前記湿度設定値は６０％である。
【００２０】
一実施形態では、前記防爆型給電部の前記防爆型充電電池及び前記高比熱被覆層は、前記加熱部とシート状に重なってウェアラブル本体の裏層に取り付けられ、前記制御部、前記電力管理部、前記表示部、前記入力部、前記温度感知部及び前記湿度感知部をフレキシブルプリントの回路基板にまとめて取り付ける。前記回路基板は、前記ウェアラブル本体の裏層に取り付けられ、前記温度感知部及び前記湿度感知部を露出させて感知を行われる。
【００２１】
一実施形態では、前記回路基板には、ＵＳＢコネクタが増設される。前記ＵＳＢコネクタは、前記回路基板及び前記電力管理部に電気的に接続され、ＵＳＢプラグ及び延長伝送線を有する。前記延長伝送線の端部には、ＵＳＢプラグが接続される。前記ＵＳＢコネクタは、外部の充電器プラグに挿入される。
【００２２】
一実施形態では、前記制御部に電気的に接続される無線通信部をさらに含む。前記無線通信部は、外部の無線通信装置に接続され、前記無線通信装置により気候予測情報をダウンロードして前記制御部に送信し、前記制御部によって温度制御を判断する。
【００２３】
一実施形態では、前記無線通信部は、外部の無線制御ランプ部に接続されてランプ点灯モードに移行し、前記入力部を制御のスイッチとする。
【図面の簡単な説明】
【００２４】
【図１】本発明に係る省エネ加熱式ウェアラブル装置の回路を示すブロック図である。
【図２】本発明に係る省エネ加熱式ウェアラブル装置の電力が起動した直後の制御の流れを示すフローチャートである。
【図３】本発明に係る省エネ加熱式ウェアラブル装置の自動温度制御の開始の流れを示すフローチャートである。
【図４】本発明に係る省エネ加熱式ウェアラブル装置の使用状態を示す図である。
【図５】図４の省エネ加熱式ウェアラブル装置を部分的に示す側面図である。
【発明を実施するための形態】
【００２５】
以下、添付図面を参照しながら本発明の技術内容について詳細に説明する。
【００２６】
図１は、本発明に係る省エネ加熱式ウェアラブル装置の回路を示すブロック図である。図１に示すように、本発明に係る省エネ加熱式ウェアラブル装置１００は、制御部１０、電力管理部２０、加熱部３０、表示部４０、入力部５０、温度感知部６０、湿度感知部７０、防爆型給電部８０及び無線通信部９０を含む。なお、温度感知部６０及び湿度感知部７０は、それぞれ生体の体温・湿度及び環境の温度・湿度を感知する。制御部１０は、要加熱状態に達したか否かを判断し、感知された生体の体温値・湿度値及び環境の温度値・湿度値が設定値を超えた場合に加熱部３０を加熱させる。
【００２７】
制御部１０内には、感知された生体の体温・湿度及び環境の温度・湿度を判断するためのアプリケーションソフトウェアが記憶されている。これにより、制御部１０は、感知された値が設定値を超えたか否かを判断する。図１では、制御部１０はマイクロコントローラである。
【００２８】
電力管理部２０は、制御部１０及び防爆型給電部８０に電気的に接続されて防爆型給電部８０の電力を管理し、これにより、省エネ加熱式ウェアラブル装置１００及び加熱部３０に必要な電力を給電する。本実施形態では、電力管理部２０は、防爆型給電部８０の防爆型充電電池８０１に充電可能な充電回路（不図示）を含む。
【００２９】
加熱部３０は、制御部１０及び電力管理部２０に電気的に接続される。制御部１０は、加熱部３０による加熱を起動させる。本実施形態では、加熱部３０は加熱層である。この加熱層は、鉄、鋼または銅材料からなるワイヤを編み組んで得られるもの、ポリイミドフィルムヒータ（Ｐｏｌｙｉｍｉｄｅ  ｆｉｌｍ，ＰＩヒータ）、ＰＴＣ（Ｐｏｓｉｔｉｖｅ  Ｔｅｍｐｅｒａｔｕｒｅ  Ｃｏｅｆｆｉｃｉｅｎｔ）セラミックヒータを含んでもよいが、これらに限定されない。加熱部３０は、電力管理部２０に電気的に接続され、ウェアラブル本体（不図示）の裏層に貼り合わされる。
【００３０】
表示部４０は、制御部１０に電気的に接続され、省エネ加熱式ウェアラブル装置１００の起動状態、例えば、電量、温度、設定時間などを表示する。本実施形態では、表示部４０は、ＬＣＤディスプレイまたはＬＥＤディスプレイである。
【００３１】
入力部５０は、制御部１０に電気的に接続される。入力部５０から制御部１０に操作信号を入力することで、制御部１０は省エネ加熱式ウェアラブル装置１００のオンオフ、時間や温度の設定を行うことできる。本実施形態では、入力部５０は、タッチスイッチ（または押しボタン）５０１、タイマースイッチ５０２及び温度設定スイッチ５０３を含む。タッチスイッチ５０１をタッチすることで、省エネ加熱式ウェアラブル装置１００のオンオフを制御する。タイマースイッチ５０２を起動した後、省エネ加熱式ウェアラブル装置１００をしばらく、例えば、０．５時間、１時間または２時間など稼動させてから、省エネ加熱式ウェアラブル装置１００の稼動を停止させるように設定する。温度設定スイッチ５０３を起動した後、制御部１０は加熱部３０を定温状態にする。
【００３２】
温度感知部６０は、制御部１０に電気的に接続され、生体体温及び環境温度を感知するとともに、感知された生体体温及び環境温度を制御部１０に送信する。こうすることで、制御部１０は、加熱部３０による加熱を起動するか否かを判断する。本実施形態では、温度感知部６０は、生体体温センサ及び環境温度センサを含む。
【００３３】
湿度感知部７０は、制御部１０に電気的に接続され、生体湿度及び環境湿度を感知するとともに、感知された生体湿度及び環境湿度を制御部１０に送信する。こうすることで、制御部１０は、加熱部３０による加熱を起動するか否かを判断する。本実施形態では、湿度感知部７０は、生体湿度センサ及び環境湿度センサを含む。
【００３４】
防爆型給電部８０は、電力管理部２０に電気的に接続される。防爆型給電部８０は、着脱可能な防爆型充電電池８０１と、防爆型充電電池８０１の一方側に位置する高比熱被覆層８０２とを含む。高比熱被覆層８０２は、加熱部３０の一方側に位置する。高比熱被覆層８０２を加熱部３０の放射熱を吸収するための蓄熱部とすることが可能であることで、ウェアラブル本体（不図示）が取り付けスペースを小さくし、組み立て工程を簡単にし、消費電力を削減し、エネルギーを節約し、熱源が集中するといった利点を有する。また、本実施形態では、高比熱被覆層８０２がセラミック糸またはナイロン糸であり、セラミック糸の比熱が約８４０Ｊ／（ｋｇ・Ｋ）、ナイロン糸の比熱が約１７００Ｊ／（ｋｇ・Ｋ）であることで、セラミック糸またはナイロン糸は高熱まで加温された後に放射熱を発するようになる。
【００３５】
無線通信部９０は、制御部１０に電気的に接続され、外部の無線通信装置、例えば、スマートフォン６００または無線制御ランプ部７００に接続され、スマートフォン６００によりクラウドから未来の気候予測情報をダウロードすることで、制御部１０によって温度制御を判断する。また、無線通信部９０を外部の無線制御ランプ部７００に接続することで、ランプ点灯モードに移行し、その結果、グローブ（不図示）の入力部(押しボタン)５０を方向指示ランプのスイッチとすることができる。
【００３６】
省エネ加熱式ウェアラブル装置１００の回路が起動した直後に、防爆型充電電池８０１本体が低温であり、制御部１０は生体を直接加熱するように加熱部３０を起動させるとともに、高比熱被覆層８０２を加熱させる。
【００３７】
回路が起動してからしばらくたった後、高比熱被覆層８０２は高熱まで加温されると放射熱を発して生体を二次加温し、そのとき温度がより上昇する。温度が再上昇すると、制御部１０は加熱部３０による加熱を停止させる。このとき、高比熱被覆層８０２の放射熱により既存の温度を維持してエネルギーを節約することができる。
【００３８】
図２は、本発明に係る省エネ加熱式ウェアラブル装置の電力が起動した直後の制御の流れを示すフローチャートである。図１及び図２を参照する。ステップＳ１００：電源を入れる。ステップＳ１００では、入力部５０により信号を制御部１０に入力することで、電力管理部２０が省エネ加熱式ウェアラブル装置１００の各部に給電する。
【００３９】
ステップＳ１０２：温度の検出。ステップＳ１０２では、制御部１０は、生体（例えば、人体の手、足、顔、身体または首部）温度及び環境温度を感知するように温度感知部６０を起動させる。
【００４０】
ステップＳ１０４：環境温度＜１５度。ステップＳ１０４では、温度感知部６０によって感知された環境温度を制御部１０に送信し、制御部１０が環境温度＜１５度と判断した場合、ステップＳ１０６に移行する。
【００４１】
ステップＳ１０６：加温の継続。温度感知部６０によって感知された環境温度＜１５度の場合、制御部１０は加熱部３０による加熱を継続させる。
【００４２】
ステップＳ１０８：体温＜３０度。ステップＳ１０８では、温度感知部６０によって感知された生体体温を制御部１０に送信し、制御部１０が体温＜３０度と判断した場合にステップＳ１０６に移行し、制御部１０が加熱部３０による加熱を継続させる。
【００４３】
ステップＳ１１０：湿度の検出。ステップＳ１１０では、電源を入れた後、温度を検出するほか、湿度感知部７０によって生体湿度を感知した後にステップＳ１１２に移行する。
【００４４】
ステップＳ１１２：生体湿度＞６０％。ステップＳ１１２では、湿度感知部７０によって感知された生体湿度＞６０％の場合にステップＳ１０６に移行する。
【００４５】
図３は、本発明に係る省エネ加熱式ウェアラブル装置の自動温度制御の開始の流れを示すフローチャートである。図１及び図３を参照する。ステップＳ２００：自動温度制御の開始。ステップＳ２００では、温度感知部６０及び湿度感知部７０により温度及び湿度を感知する。
【００４６】
ステップＳ２０２：環境温度＞１５度の判断。ステップＳ２０２では、温度感知部６０によって感知された環境温度を制御部１０に送信し、制御部が環境温度＞１５度と判断した場合にステップＳ２０４に移行して生体の加熱領域を閉じ、制御部１０が加熱部３０による加熱を起動させない。一方、ステップＳ２０２では、環境温度が１５度以下と判断された場合にステップＳ２０６に移行する。
【００４７】
ステップＳ２０６：生体温度＞３０度の判断。ステップＳ２０６では、温度感知部６０によって感知された生体（例えば、人体の手、足、顔、身体または首部）温度を制御部１０に送信し、制御部が体温＞３０度と判断した場合にステップＳ２０４に移行して生体の加熱領域を閉じ、制御部１０が加熱部３０による加熱を起動させない。このとき、高比熱被覆層８０２の放射熱により既存の温度を維持してエネルギーを節約することができる。一方、ステップＳ２０６では、生体温度が３０度以下と判断された場合にステップＳ２０８に移行する。
【００４８】
ステップＳ２０８：生体湿度＞６０％の判断。ステップＳ２０８では、湿度感知部７０によって感知された生体（例えば、人体の手、足、顔、身体または首部）湿度を制御部１０に送信し、制御部がその湿度＞６０％と判断した場合にステップＳ２１０に移行して加熱を継続させ、制御部１０が加熱部３０による加熱を起動させる。一方、ステップＳ２０８では、生体湿度が６０％以下と判断された場合にステップＳ２０４に移行して生体の加熱領域を閉じる。
【００４９】
ステップＳ２１０：加熱の継続。ステップＳ２１０では、ステップＳ２０２で環境温度が１５度よりも低いと判断し、ステップＳ２０６で生体温度が３０度よりも低いかつステップＳ２０８で生体湿度＞６０％と判断した場合、制御部１０は加熱部３０による加熱を継続させる。
【００５０】
図４は、本発明に係る省エネ加熱式ウェアラブル装置の使用状態を示す図である。図５は、図４の省エネ加熱式ウェアラブル装置を部分的に示す側面図である。図１、図４及び図５を参照する。本発明では、防爆型給電部８０の防爆型充電電池８０１及び高比熱被覆層８０２を加熱部３０とシート状に重ねてウェアラブル本体（グローブ）２００の裏層２０１に取り付け、省エネ加熱式ウェアラブル装置１００（図１に示す）の制御部１０、電力管理部２０、表示部４０、入力部５０、温度感知部６０及び湿度感知部７０をフレキシブルプリントの回路基板３００にまとめて取り付けるとともに、回路基板３００をウェアラブル本体（グローブ）２００の裏層２０１に取り付け、温度感知部６０及び湿度感知部７０を外部に露出させて生体及び外部環境に接することができる。
【００５１】
また、回路基板３００には、ＵＳＢコネクタ４００が増設される。ＵＳＢコネクタ４００は、回路基板３００及び電力管理部２０に電気的に接続され、ＵＳＢプラグ４０１及び延長伝送線４０２を有する。延長伝送線４０２の端部には、ＵＳＢプラグ４０１が接続される。ＵＳＢコネクタ４００を外部の充電器プラグ５００に挿入することで、外部の電源は電力管理部２０を介して防爆型充電電池８０１を充電することができる。
【００５２】
省エネ加熱式ウェアラブル装置１００の回路が起動した直後に、防爆型充電電池８０１本体が低温であり、制御部１０は生体を直接加熱するように加熱部３０を起動させるとともに、高比熱被覆層８０２を加熱させる。
【００５３】
回路が起動してからしばらくたった後、高比熱被覆層８０２は高熱まで加温されると放射熱を発して生体を二次加温し、そのとき温度がより上昇する。温度が再上昇すると、制御部１０は加熱部３０による加熱を停止させる。このとき、高比熱被覆層８０２の放射熱により既存の温度を維持してエネルギーを節約することができる。
【００５４】
また、無線通信部９０は、外部の無線通信装置、例えば、スマートフォン６００または無線制御ランプ部７００に接続され、スマートフォン６００によりクラウドから未来の気候予測情報をダウロードすることで、制御部１０によって温度制御を判断する。また、無線通信部９０を外部の無線制御ランプ部７００に接続することで、ランプ点灯モードに移行し、その結果、ウェアラブル本体２００に取り付けられる入力部(押しボタン)５０を方向指示ランプのスイッチとすることができる。
【００５５】
以上、本発明の好ましい実施形態を挙げて説明したが、これは本発明の実施形態の一例に過ぎない。説明した実施形態は、本発明の範囲を限定するものではないことが理解されたい。当業者であれば本発明の概念又は技術的思想を含む各種の変動や交換は、本発明の保護を求める範囲内に属するものである。
【符号の説明】
【００５６】
１００ 省エネ加熱式ウェアラブル装置
１０ 制御部
２０ 電力管理部
３０ 加熱部
４０ 表示部
５０ 入力部
５０１ タッチスイッチ
５０２ タイマースイッチ
５０３ 温度設定スイッチ
６０ 温度感知部
７０ 湿度感知部
８０ 防爆型給電部
８０１ 防爆型充電電池
８０２ 高比熱被覆層
９０ 無線通信部
２００ ウェアラブル本体
２０１ 裏層
３００ 回路基板
４００ ＵＳＢコネクタ
４０１ ＵＳＢプラグ
４０２ 延長伝送線
５００ 充電器プラグ
６００ スマートフォン
７００ 無線制御ランプ部
【図１】
2018183036.tif 000003
【図２】
2018183036.tif 000004
【図３】
2018183036.tif 000005
【図４】
2018183036.tif 000006
【図５】
2018183036.tif 000007